(57)【特許請求の範囲】
【請求項１】
ハウジングと、
前記ハウジング内に後方から挿入される端子金具と、
前記ハウジングに対し、前記端子金具の挿入方向と交差する方向に組み付けられるリテーナとを備えており、
前記ハウジングに組み付けられた前記リテーナは、前記端子金具の挿入動作を許容する仮係止位置と、前記端子金具に係止して前記端子金具を抜止め状態にする本係止位置とに保持可能とされているコネクタにおいて、
前記リテーナの仮係止位置と本係止位置との間の移動方向は、前記ハウジングに対する前記リテーナの組み付け方向と前記ハウジングに対する前記端子金具の挿入方向との両方向に対して交差する方向とされていることを特徴とするコネクタ。
【請求項２】
前記ハウジング内には、前記リテーナを組み付けるための収容空間が形成されており、
前記ハウジングは、前記リテーナが前記収容空間に対して前記端子金具の挿入方向と交差する方向に組み付けられることを許容する窓状の開口部を有していることを特徴とする請求項１記載のコネクタ。
【請求項３】
前記ハウジングには、仮係止位置と本係止位置との間で移動する前記リテーナを案内するためのガイド手段が設けられていることを特徴とする請求項１または請求項２記載のコネクタ。
【請求項４】
前記リテーナの仮係止位置から本係止位置への移動方向において、前記リテーナの長さ寸法は前記ハウジングの長さ寸法よりも小さく、
前記リテーナが仮係止位置にある状態では、前記リテーナの仮係止位置から本係止位置への移動方向における仮係止位置側の端部が、前記ハウジングの外面よりも本係止位置側に位置することを特徴とする請求項１ないし請求項３のいずれかに記載のコネクタ。
【請求項５】
前記ハウジングには、前記ハウジングに組み付けられた前記リテーナに係止することで、前記リテーナが前記ハウジングから離脱するのを規制可能な規制部が形成されていることを特徴とする請求項１ないし請求項４のいずれかに記載のコネクタ。
【請求項６】
前記規制部には、前記リテーナに係止して前記リテーナを仮係止位置に保持する仮係止部と、前記リテーナに係止して前記リテーナを本係止位置に保持する本係止部とが形成されていることを特徴とする請求項５記載のコネクタ。
【請求項７】
前記ハウジングは、前記端子金具が挿入されるインナハウジングと、前記インナハウジングを収容するアウタハウジングとを備えて構成され、
前記インナハウジングには、その外周面に開口するように前記収容空間が形成されており、
前記インナハウジングの外周面における前記収容空間の開口領域が、前記アウタハウジングによって覆い隠されていることを特徴とする請求項１ないし請求項６のいずれかに記載のコネクタ。
【請求項８】
前記インナハウジングに組み付けられた前記リテーナの外面は、前記ハウジングの外面よりも突出した形態であって、仮係止位置から本係止位置への移動方向と平行な領域を有する摺接面となっており、
前記リテーナが、前記摺接面を前記アウタハウジングの内周面に摺接させながら仮係止位置から本係止位置へ移動するようになっていることを特徴とする請求項７記載のコネクタ。
【請求項９】
前記リテーナには、前記インナハウジングの前面よりも前方へ突出する形態であって、前方から前記アウタハウジング内に差し込まれた治具を係合させるための操作部が形成されていることを特徴とする請求項７または請求項８に記載のコネクタ。
【発明の詳細な説明】
【技術分野】
【０００１】
本発明は、コネクタに関するものである。
【背景技術】
【０００２】
特許文献１には、ハウジングに対して後方から端子金具を挿入し、ハウジングに取り付けたリテーナにより、端子金具を抜止めするようにしたコネクタが記載されている。リテーナは、ハウジングに対する端子金具の挿入方向と直交する方向に組み付けられ、端子金具の挿入動作を許容する仮係止位置、端子金具に係止して端子金具を抜止めする本係止位置とに保持されるようになっている。  
この種のコネクタでは、リテーナを仮係止位置に保持した状態で端子金具の挿入を行うことから、端子金具の挿入現場に搬送する際には、予め、リテーナを仮係止位置に保持した状態にしておく。
【特許文献１】特開２００６−１８５７５９号公報
【発明の開示】
【発明が解決しようとする課題】
【０００３】
上記従来のコネクタでは、仮係止位置にあるリテーナを、ハウジングの内部に深く押し込むことによって本係止位置へ移動させるようになっている。そのため、端子金具の挿入現場へコネクタを搬送する途中で、リテーナの外面が他のコネクタ等に押され、リテーナが本係止位置まで押し込まれてしまう虞がある。このようにリテーナが本係止位置に保持された状態で、端子金具の挿入現場に搬送された場合には、端子金具の挿入を行う前に、リテーナを仮係止位置へ戻すという余分な作業が必要となるため、作業効率が低下する。  
本発明は上記のような事情に基づいて完成されたものであって、ハウジングに組み付けたリテーナが仮係止位置から本係止位置へ移動してしまうのを防止することを目的とする。
【課題を解決するための手段】
【０００４】
上記の目的を達成するための手段として、請求項１の発明は、ハウジングと、前記ハウジング内に後方から挿入される端子金具と、前記ハウジングに対し、前記端子金具の挿入方向と交差する方向に組み付けられるリテーナとを備えており、前記ハウジングに組み付けられた前記リテーナは、前記端子金具の挿入動作を許容する仮係止位置と、前記端子金具に係止して前記端子金具を抜止め状態にする本係止位置とに保持可能とされているコネクタにおいて、前記ハウジングには、前記ハウジングに対する前記リテーナの組み付け方向及び前記ハウジングに対する前記端子金具の挿入方向の両方向に対して交差する方向に前記リテーナを案内するガイド手段が設けられており、前記ガイド手段に案内されることで、前記リテーナが仮係止位置と本係止位置との間で移動するようになっているところに特徴を有する。
【０００５】
請求項２の発明は、請求項１に記載のものにおいて、前記ハウジング内には、前記リテーナを組み付けるための収容空間が形成されており、前記ハウジングは、前記リテーナが前記収容空間に対して前記端子金具の挿入方向と交差する方向に組み付けられることを許容する窓状の開口部を有しているところに特徴を有する。  
請求項３の発明は、請求項１または請求項２に記載のものにおいて、前記ハウジングには、仮係止位置と本係止位置との間で移動する前記リテーナを案内するためのガイド手段が設けられているところに特徴を有する。
【０００６】
請求項４の発明は、請求項１ないし請求項３のいずれかに記載のものにおいて、前記リテーナの仮係止位置から本係止位置への移動方向において、前記リテーナの長さ寸法は前記ハウジングの長さ寸法よりも小さく、前記リテーナが仮係止位置にある状態では、前記リテーナの仮係止位置から本係止位置への移動方向における仮係止位置側の端部が、前記ハウジングの外面よりも本係止位置側に位置するところに特徴を有する。
【０００７】
請求項５の発明は、請求項１ないし請求項４のいずれかに記載のものにおいて、前記ハウジングには、前記ハウジングに組み付けられた前記リテーナに係止することで、前記リテーナが前記ハウジングから離脱するのを規制可能な規制部が形成されているところに特徴を有する。  
請求項６の発明は、請求項５に記載のものにおいて、前記規制部には、前記リテーナに係止して前記リテーナを仮係止位置に保持する仮係止部と、前記リテーナに係止して前記リテーナを本係止位置に保持する本係止部とが形成されているところに特徴を有する。
【０００８】
請求項７の発明は、請求項１ないし請求項６のいずれかに記載のものにおいて、前記ハウジングは、前記端子金具が挿入されるインナハウジングと、前記インナハウジングを収容するアウタハウジングとを備えて構成され、前記インナハウジングには、その外周面に開口するように前記収容空間が形成されており、前記インナハウジングの外周面における前記収容空間の開口領域が、前記アウタハウジングによって覆い隠されているところに特徴を有する。
【０００９】
請求項８の発明は、請求項７に記載のものにおいて、前記インナハウジングに組み付けられた前記リテーナの外面は、前記ハウジングの外面よりも突出した形態であって、仮係止位置から本係止位置への移動方向と平行な領域を有する摺接面となっており、前記リテーナが、前記摺接面を前記アウタハウジングの内周面に摺接させながら仮係止位置から本係止位置へ移動するようになっているところに特徴を有する。
【００１０】
請求項９の発明は、請求項７または請求項８に記載のものにおいて、前記リテーナには、前記インナハウジングの前面よりも前方へ突出する形態であって、前方から前記アウタハウジング内に差し込まれた治具を係合させるための操作部が形成されているところに特徴を有する。
【発明の効果】
【００１１】
＜請求項１及び請求項２の発明＞
リテーナの仮係止位置から本係止位置への移動方向は、ハウジングに対するリテーナの組み付け方向と交差する方向であるため、リテーナの外面に対して組み付け方向と同じ方向の外力が作用しても、リテーナは仮係止位置から本係止位置へ移動する虞はない。
【００１２】
＜請求項３の発明＞
ガイド手段により、リテーナを仮係止位置と本係止位置との間で案内するようにしたので、リテーナを安定して移動させることができる。
＜請求項４の発明＞
リテーナが仮係止位置にある状態では、リテーナの仮係止位置側の端部がハウジングの外面よりも本係止位置側に位置するので、リテーナに対して本係止位置へ移動させる方向に異物が接近しても、その異物はリテーナの仮係止位置側の端部に直接当たることがない。したがって、仮係止位置にあるリテーナが、異物の干渉に起因して本係止位置へ押し込まれる虞がない。
【００１３】
＜請求項５の発明＞
リテーナは、規制部の係止作用により、ハウジングに対して組み付け状態に保たれる。  
＜請求項６の発明＞
規制部に、仮係止部と本係止部を形成したので、規制部とは別の部分に仮係止部と本係止部とを形成する場合に比べると、ハウジングの形状を簡素化することができる。
【００１４】
＜請求項７の発明＞
インナハウジングの外周面における収容空間の開口領域、即ちリテーナの外面が、アウタハウジングによって覆い隠されているので、リテーナに対する異物の干渉を確実に防止することができる。
【００１５】
＜請求項８の発明＞
摺接面がアウタハウジングの内周面に摺接することによるガイド機能により、リテーナは、安定して仮係止位置から本係止位置へ移動することができる。
【００１６】
＜請求項９の発明＞
前方からアウタハウジング内に差し込んだ治具を操作部に係合させることにより、リテーナを仮係止位置から本係止位置へ移動させることができる。
【発明を実施するための最良の形態】
【００１７】
＜実施形態１＞
以下、本発明を具体化した実施形態１を図１乃至図１７を参照して説明する。本実施形態のコネクタは、アウタハウジング１０とインナハウジング２０とを組み付けて構成されるコネクタハウジング１と、コネクタハウジング１に取り付けられた複数の端子金具５０と、インナハウジング２０に取り付けられることで端子金具５０を抜止めするリテーナ３０とを備えて構成されている。
【００１８】
アウタハウジング１０は、合成樹脂製であり、横長のブロック状をなす端子収容部１１と、端子収容部１１の外周縁から前方へ突出するフード部１２とを一体に形成したものである。端子収容部１１内には、前後方向に細長い複数の後部キャビティ１３が形成されており、各後部キャビティ１３は端子収容部１１を貫通した形態となっている。アウタハウジング１０には、そのフード部１２の奥端面（端子収容部１１の前端面）を凹ませた形態の嵌合空間１４が形成されている。嵌合空間１４は、フード部１２の奥端面において横長の方形に開口されており、一部の後部キャビティ１３は嵌合空間１４の奥端面に開口されている。嵌合空間１４は、上下方向において端子収容部１１の中央部に位置し、左右方向においても端子収容部１１の中央部に位置している。
【００１９】
フード部１２の内周面は、左右一対の半円弧面１５と、この一対の半円弧面１５の上端に対して滑らかに連なる水平な第１平坦面１７ａと、第１平坦面１７ａと平行であって一対の半円弧面１５の下端に滑らかに連なる水平な第２平坦面１７ｂとによって構成されている。両平坦面１７ａ，１７ｂの間の距離は、嵌合空間１４の上下寸法よりも大きく、平坦面１７ａ，１７ｂの左右方向の寸法は、嵌合空間１４の左右寸法よりも大きい。
【００２０】
インナハウジング２０は、合成樹脂製であり、全体として横長のブロック状をなすハウジング本体２１と、ハウジング本体２１の後端面から後方へ横長のブロック状に突出する嵌合部２２とを一体形成した形態である。嵌合部２２の上下寸法はハウジング本体２１よりも小さく、嵌合部２２の左右寸法もハウジング本体２１より小さい。そして、嵌合部２２は、上下方向においてはハウジング本体２１の中央よりも下方に位置し、嵌合部２２の下面はハウジング本体２１の下面とほぼ同じ高さに位置する。また、この嵌合部２２は、左右方向においてはハウジング本体２１のほぼ中央に位置する。
【００２１】
インナハウジング２０内には、前後方向に貫通する複数の前部キャビティ２３が、後部キャビティ１３と対応する配置で形成されている。前部キャビティ２３の前端は、ハウジング本体２１（インナハウジング２０）の前端面に開口する。また、前部キャビティ２３の後端は、その形成位置に応じてハウジング本体２１の後端面又は嵌合部２２の後端面に開口する。
【００２２】
インナハウジング２０の内部には、リテーナ３０を収容状態に組み付けるための手段として収容空間２４が形成されている。収容空間２４は、ハウジング本体２１の下面において全体として左右方向（インナハウジング２０に対する端子金具５０の挿入方向と直交する方向）に細長いスリット状（窓状）に開口されている。リテーナ３０は、この収容空間２４の窓状の開口部から、端子金具５０の挿入方向と直交する方向に収容空間２４内に組み付けることができる。また、収容空間２４は、全ての前部キャビティ２３に連通されている。
【００２３】
ハウジング本体２１の下面における前端縁部には、リテーナ３０をインナハウジング２０に対して組み付け状態に保持する手段として、左右方向において離間した２位置から下方へ突出する一対の規制部２５が形成されている。規制部２５の下端部は、後方へ突出した形態の規制突起２５ａとなっており、かかる規制部２５は、側方（アウタハウジング１０に対するインナハウジング２０の組み付け方向と直角な方向）から見ると略Ｌ字形に屈曲した形状となっている。規制突起２５ａの上面には、三角形状に突出する係止突起２６（本発明の構成要件である仮係止部及び本係止部）が形成されている。
【００２４】
ハウジング本体２１の下面のうち収容空間２４の開口よりも前方の領域における両端部は、アウタハウジング１０に対するインナハウジング２０の組み付け方向及びフード部１２の下側の平坦面１７ｂと平行をなす略方形のガイド面２７（本発明の構成要件であるガイド手段）となっている。このガイド面２７は、インナハウジング２０に対するリテーナ３０の組み付け方向（上向き方向）に対して直角であり、仮係止位置と本係止位置との間におけるリテーナ３０の移動方向と平行である。リテーナ３０は、このガイド面２７によって仮係止位置と本係止位置との間で左右方向に移動し得るように案内される。
【００２５】
また、ハウジング本体２１の下面には、収容空間２４の開口のうち後縁に沿って左右方向に延びた形態のガイドリブ２９（本発明の構成要件であるガイド手段）が形成されている。このガイドリブ２９は、インナハウジング２０に対するリテーナ３０の組み付け方向（上向き方向）及びインナハウジング２０に対する端子金具５０の挿入方向（前向き方向）の両方向に対して直角であり、仮係止位置と本係止位置との間におけるリテーナ３０の移動方向と平行である。リテーナ３０は、このガイドリブ２９に案内されて仮係止位置と本係止位置との間で移動するようになっている。。
【００２６】
ハウジング本体２１の上面（インナハウジング２０の外面）には、第１リブ２８ａ、第２リブ２８ｂ及び第３リブ２８ｃが上方へ突出する形態で形成されている。これらの第１〜３リブ２８ａ〜２８ｃは、いずれも、ハウジング本体２１の後端から前端に亘り、フード部１２に対する前記インナハウジング２０の組付け方向と平行な前後方向に連続して延びた形態となっている。また、第１〜３リブ２８ａ〜２８ｃは、左右方向において離間して配置されており、第１リブ２８ａは、正面から見てハウジング本体２１の左端部近くに位置し、第２リブ２８ｂは、ハウジング本体２１の左右方向における中央に位置し、第３リブ２８ｃは、ハウジング本体２１の右端部近くに位置する。
【００２７】
ハウジング本体２１の左右両側面（インナハウジング２０の外面）には、第４〜７リブ２８ｄ〜２８ｇが側方へ突出する形態で形成されている。これらの第４〜７リブ２８ｄ〜２８ｇは、いずれも、ハウジング本体２１の後端から前端に亘り、フード部１２に対する前記インナハウジング２０の組付け方向と平行に連続して延びた形態となっている。第４リブ２８ｄは、正面から見てハウジング本体２１の左側面の上端部に位置し、第５リブ２８ｅは、ハウジング本体２１の左側面の下端部に位置し、第６リブ２８ｆは、ハウジング本体２１の右側面の上端部に位置し、第７リブ２８ｇは、ハウジング本体２１の右側面の下端部に位置している。第４〜７リブ２８ｄ〜２８ｇの各突出端面は、夫々、半円弧面１５と同じ曲率の円弧面となっている。
【００２８】
リテーナ３０は、合成樹脂製であり、インナハウジング２０の組み付け方向と直角な板状をなす格子状の本体部３１と、本体部３１の下端縁から前方へ組み付け方向と平行に延出する板状延出部３２とを一体に形成したものである。本体部３１には、複数の前部キャビティ２３と対応する複数の貫通孔３３が形成されており、各貫通孔３３の内周には、端子金具５０と係止可能な抜止部３４が形成されている。板状延出部３２の前端面には、その左右両端に近い位置を凹ませた形態の一対の凹部３５が形成されている。各凹部３５の天井面には、仮係止溝３６と本係止溝３７とが左右に並んで形成されている。
【００２９】
板状延出部３２の上面における左右両端部は、アウタハウジング１０に対するインナハウジング２０の組み付け方向及び平坦面１７ｂと平行をなす被案内面３８となっている。この被案内面３８は、ガイド面２７と同様に、インナハウジング２０に対するリテーナ３０の組み付け方向（上向き方向）に対して直角であり、仮係止位置と本係止位置との間におけるリテーナ３０の移動方向と平行となっている。
【００３０】
同じく板状延出部３２には、その後端縁（本体部３１の下端縁）に沿って左右方向に延びる摺接リブ４１が後方へ突出した形態で形成されている。この摺接リブ４１は、ガイドリブ２９と同様、インナハウジング２０に対するリテーナ３０の組み付け方向（上向き方向）及びインナハウジング２０に対する端子金具５０の挿入方向（前向き方向）の両方向に対して直角であり、仮係止位置と本係止位置との間におけるリテーナ３０の移動方向と平行となっている。
【００３１】
さらに、板状延出部３２の左右両端部には、左右方向において凹部３５に隣接する位置から前方へ突出する操作部３９が形成されている。この操作部３９の内部には、その前端面に開口する操作孔３９ａが形成されており、この操作孔３９ａ内には、前方からフード部１２内に差し込まれた細長い治具（図示せず）の先端が進入するようになっている。そして、操作孔３９ａに係合させた治具を操作することにより、リテーナ３０を仮係止位置と本係止位置との間で移動させることができるようになっている。
【００３２】
さらに、板状延出部３２の下面及び操作部３９の下面は、摺接面４０となっている。この摺接面４０における左右両端部は、半円弧面１５と同じ曲率の円弧状をなし、摺接面４０のうち円弧状領域の間の領域は、第２平坦面１７ｂと平行な平坦状をなしている。この摺接面４０は、被案内面３８と同様に、インナハウジング２０に対するリテーナ３０の組み付け方向（上向き方向）に対して直角であり、仮係止位置と本係止位置との間におけるリテーナ３０の移動方向と平行となっている。
【００３３】
また、リテーナ３０の仮係止位置から本係止位置への移動方向（左右方向）における長さ寸法は、インナハウジング２０の左右方向の長さ寸法よりも小さくなっている。  
端子金具５０は、全体として前後方向（アウタハウジング１０に対するインナハウジング２０の組み付け方向と平行な方向）に細長く、箱部５１と、箱部５１から前方へ突出するタブ５２と、箱部５１の後端に連なる圧着部５３とを一体に形成した周知の雄形のものである。圧着部５３には電線が導通可能に接続されている。
【００３４】
次に、本実施形態の作用を説明する。  
コネクタを組み付ける際には、まず、インナハウジング２０に対し下から本体部３１を収容空間２４内に嵌入させるようにしてリテーナ３０を取り付ける。取り付ける過程では、凹部３５を構成する上面壁が、規制部２５を一時的に前方へ弾性撓みさせる。取り付けられたリテーナ３０は、仮係止溝３６と係止突起２６との係止によって仮係止位置に保持され、左右方向（本係止位置側）への相対移動を規制される。リテーナ３０が仮係止位置にある状態では、本体部３１が収容空間２４内に嵌合することにより、リテーナ３０のインナハウジング２０に対する前後方向への相対変位及び傾きが規制される。さらに、リテーナ３０の仮係止位置から本係止位置への移動方向における仮係止位置側の端部３０ａ（図１における右側の端部）は、インナハウジング２０の右側の外面（リブ２８ｆ，２８ｇ）よりも本係止位置側（図１における左方）に位置する。
【００３５】
また、リテーナ３０が組み付けられた状態では、リテーナ３０の被案内面３８が下からインナハウジング２０のガイド面２７に面当たり状に係止するとともに、摺接リブ４１が下からガイドリブ２９に係止し、更に、凹部３５の上面壁に対してインナハウジング２０の規制部２５の規制突起２５ａが下から係止し、これらの係止作用によって、リテーナ３０のインナハウジング２０に対する上下方向への相対変位が規制される。また、リテーナ３０の下端の板状延出部３２（摺接面４０）は、インナハウジング２０のハウジング本体２１の下面よりも下方へ突出した状態となっている。さらに、リテーナ３０の板状延出部３２は、規制部２５とガイドリブ２９との間で前後方向に挟まれて位置決めされた状態となっている。
【００３６】
次に、リテーナ３０が仮係止位置に保持されている状態のインナハウジング２０を、アウタハウジング１０に組み付ける。組み付けに際しては、インナハウジング２０を前方からフード部１２内に差し入れる。このとき、第１リブ２８ａ〜第７リブ２８ｇがフード部１２の内周面に面接触状態で摺接し、これにより、インナハウジング２０は、フード部１２の内部において組み付け方向と直交する上下及び左右方向への相対移動を規制されて位置決めされた状態となる。
【００３７】
インナハウジング２０をフード部１２内の奥方へ嵌入していくと、嵌合部２２が嵌合空間１４内に嵌入される。このとき、インナハウジング２０は、フード部１２に対して上下左右方向において位置決めされているので、嵌合部２２の周縁はフード部１２の奥端面における嵌合空間１４の開口縁部と干渉することがなく、嵌合部２２は円滑に嵌合空間１４内に嵌入される。そして、インナハウジング２０が正規の組付位置に達すると、ハウジング本体２１の後面がフード部１２の奥端面に突き当たって前止まりされるとともに、図示しないロック手段又は嵌合部２２の外周面と嵌合空間１４の内周面との摩擦により、インナハウジング２０はアウタハウジング１０に対して組み付け状態に保持され、コネクタハウジング１が構成される。
【００３８】
インナハウジング２０をアウタハウジング１０に組み付けた状態では、互いに対応する前部キャビティ２３と後部キャビティ１３とが前後に連通して、端子金具５０を収容するための空間が構成される。また、リテーナ３０は仮係止位置に保持されているので、貫通孔３３の抜止部３４は前部キャビティ２３における端子金具５０の挿入領域の外部（側方）へ退避した位置にある。また、インナハウジング２０の外周のうち下面における収容空間２４の開口領域、及び収容空間２４の開口領域に露出しているリテーナ３０の下面（摺接面４０）は、フード部１２によって覆い隠された状態となる。
【００３９】
この状態で、後方から各後部キャビティ１３内に端子金具５０を差し込む。そして、端子金具５０が、正規挿入位置に達すると、図２に示すように、タブ５２がハウジング本体２１の前端面から前方へ突出してフード部１２で包囲されるとともに、箱部５１が前部キャビティ２３内に位置した状態となる。正規挿入された端子金具５０は、ランスの一次係止作用により抜止め状態となる。
【００４０】
全ての端子金具５０の挿入が完了した後は、仮係止位置に保持されているリテーナ３０の操作部３９に対し、治具を用いて横向きの押圧力を付与すると、リテーナ３０は、その摺接面４０を第２平坦面１７ｂに摺接させながら本係止位置に移動し、本係止溝３７と係止突起２６との係止作用によりリテーナ３０が本係止位置に保持される。リテーナ３０が本係止位置へ移動する際には、リテーナ４０は、摺接面４０と平坦面１７ｂとの摺接によって案内されるだけでなく、ガイド面２７と被案内面３８との摺接及びガイドリブ２９と摺接リブ４１との摺接によっても案内される。
【００４１】
リテーナ３０が本係止位置に移動した状態では、リテーナ３０の抜止部３４が前部キャビティ２３内に進出して端子金具５０の箱部５１の側縁部に対して後方から係止する。この抜止部３４による箱部５１への二次係止作用により、端子金具５０は確実に抜止め状態にロックされる。
【００４２】
上述のように本実施形態においては、リテーナ３０の仮係止位置から本係止位置への移動方向は、インナハウジング２０に対するリテーナ３０の組み付け方向と交差する方向であるため、リテーナ３０の外面に対して組み付け方向と同じ方向の外力が作用しても、リテーナ３０は仮係止位置から本係止位置へ移動する虞はない。
【００４３】
また、リテーナ３０が仮係止位置にある状態では、リテーナ３０の仮係止位置側の端部３０ａがインナハウジング２０の外面よりも本係止位置側に位置するので、リテーナ３０に対して本係止位置へ移動させる方向に異物が接近しても、その異物はリテーナ３０の仮係止位置側の端部３０ａに直接当たることがない。したがって、仮係止位置にあるリテーナ３０が、異物の干渉に起因して本係止位置へ押し込まれる虞がない。
【００４４】
また、インナハウジング２０には、インナハウジング２０に組み付けられたリテーナ３０に係止することで、リテーナ３０がインナハウジング２０から離脱するのを規制可能な規制部２５を形成しているので、リテーナ３０は、規制部２５の係止作用により、インナハウジング２０に対して組み付け状態に保たれる。
【００４５】
また、リテーナ３０に係止してリテーナ３０を仮係止位置に保持するための仮係止部と、リテーナ３０に係止してリテーナ３０を本係止位置に保持するための本係止部とを、共通の係止突起２６としたので、仮係止部と本係止部とを別々に形成した場合に比べると、インナハウジング２０の形状の簡素化を図ることができる。
【００４６】
しかも、この係止突起２６は、インナハウジング２０に組み付けたリテーナ３０が離脱するのを防止するための手段である規制部２５に形成しているので、規制部２５とは別の部分に仮係止部と本係止部とを形成する場合に比べると、インナハウジング２０の形状を簡素化することができる。
【００４７】
また、コネクタハウジング１を、端子金具５０が挿入されているインナハウジング２０をアウタハウジング１０内に収容した形態とし、リテーナ３０を、インナハウジング２０に対しその外周面に開口する収容空間２４内に進入させるようにして組み付ける構造とした上で、インナハウジング２０の外周面における収容空間２４の開口領域が、アウタハウジング１０によって覆い隠されるようにした。これにより、リテーナ３０に対する異物の干渉を確実に防止できる。
【００４８】
＜他の実施形態＞
本発明は上記記述及び図面によって説明した実施形態に限定されるものではなく、例えば次のような実施態様も本発明の技術的範囲に含まれる。  
（１）ハウジングに対するリテーナの組み付け方向は、端子金具の挿入方向に対して斜め方向であってもよい。  
（２）ハウジングは、インナハウジングとアウタハウジングとの２部品からなるものに限らず、単一部品からなるものであってもよい。この場合、リテーナの収容空間は、ハウジングの外面に露出した状態となる。  
（３）リテーナが仮係止位置にある状態で、リテーナの仮係止位置側の端部が、ハウジングの外面から突出するようにしてもよい。  
（４）リテーナは、その外面をハウジングの外面から突出させない形態であってもよい。  
（５）リテーナは、その外面をアウタハウジングの内周面に摺接させない形態であってもよい。  
（６）リテーナは、インナハウジングの前面に露出した形態で組み付けられていてもよい。この場合、リテーナは、ランスの撓み空間内に嵌入してランスの弾性撓みを規制することで、端子金具を抜止めすることが可能である。
【図面の簡単な説明】
【００４９】
【図１】実施形態１においてリテーナがインナハウジングに対して仮係止位置に保持されている状態の正面図
【図２】リテーナがインナハウジングに対して仮係止位置に保持されている状態をあらわす水平断面図
【図３】インナハウジングをアウタハウジングに組み付けた状態の縦断面図
【図４】図３のＢ−Ｂ線断面図
【図５】リテーナがインナハウジングに対して本係止位置に保持されている状態の正面図
【図６】リテーナがインナハウジングに対して本係止位置に保持されている状態をあらわす水平断面図
【図７】インナハウジングにリテーナを取り付けた状態をあらわす正面図
【図８】図７のＡ−Ａ線断面図
【図９】インナハウジングの正面図
【図１０】インナハウジングの背面図
【図１１】インナハウジングの平面図
【図１２】インナハウジングの底面図
【図１３】インナハウジングの側面図
【図１４】リテーナの正面図
【図１５】リテーナの背面図
【図１６】リテーナの平面図
【図１７】リテーナの側面図
【符号の説明】
【００５０】
１…コネクタハウジング（ハウジング）
１０…アウタハウジング
２０…インナハウジング
２４…収容空間
２５…規制部
２６…係止突起（仮係止部、本係止部）
２７…ガイド面（ガイド手段）
２９…ガイドリブ（ガイド手段）
３０…リテーナ
３０ａ…リテーナの仮係止位置側の端部
３９…操作部
４０…摺接面
５０…端子金具
【図１】
0005125410.tif 000002
【図２】
0005125410.tif 000003
【図３】
0005125410.tif 000004
【図４】
0005125410.tif 000005
【図５】
0005125410.tif 000006
【図６】
0005125410.tif 000007
【図７】
0005125410.tif 000008
【図８】
0005125410.tif 000009
【図９】
0005125410.tif 000010
【図１０】
0005125410.tif 000011
【図１１】
0005125410.tif 000012
【図１２】
0005125410.tif 000013
【図１３】
0005125410.tif 000014
【図１４】
0005125410.tif 000015
【図１５】
0005125410.tif 000016
【図１６】
0005125410.tif 000017
【図１７】
0005125410.tif 000018